(57)【要約】【課題】食器洗浄後の食器洗浄機を、キッチン内で作業する作業者の作業等の邪魔にならない適度な位置で開放状態を保持し、洗浄槽内部において湿気で臭いがこもらないようにする保持具を提供する。【解決手段】保持具１は、食器洗浄機ＤＷの扉材１１に着脱可能に取り付けられる第１取付部２ａと、システムキッチンＳＫのうち、食器洗浄機ＤＷの扉材１１周囲の部位（食器洗浄機ＤＷに隣接する幕板Ｄ）に着脱可能に取り付けられる第２取付部２ｂと、第１取付部２ａおよび第２取付部２ｂを連結し、食器洗浄機ＤＷを所定の開放状態で保持する長さを有する連結部３とを備える。【選択図】図５
2014212952.tif 000002
【特許請求の範囲】
【請求項１】
システムキッチンに組み込まれる、洗浄槽の前方に扉材を有する引き出し式食器洗浄機を、所定の開放状態で保持する保持具であって、該保持具が、
前記食器洗浄機の扉材に着脱可能に取り付けられる第１取付部と、
前記システムキッチンのうち、前記食器洗浄機の扉材周囲の部位に着脱可能に取り付けられる第２取付部と、
前記第１取付部および前記第２取付部を連結し、前記食器洗浄機を前記所定の開放状態で保持する長さを有する連結部と
を備えることを特徴とする保持具。
【請求項２】
前記連結部が伸縮可能な弾性部材からなる請求項１記載の保持具。
【請求項３】
前記第１取付部と前記連結部との連結部位および前記第２取付部と前記連結部との連結部位のうち、少なくともいずれか一方が取り外し可能に構成されている請求項１または２記載の保持具。
【請求項４】
前記連結部が螺旋状に形成されたばねである請求項１〜３のいずれか１項に記載の保持具。
【請求項５】
前記取付部が吸盤である請求項１〜４のいずれか１項に記載の保持具。
【請求項６】
前記取付部が磁石を備える請求項１〜４のいずれか１項に記載の保持具。
【発明の詳細な説明】
【技術分野】
【０００１】
本発明は、システムキッチンに組み込まれる引き出し式食器洗浄機に使用され、食器洗浄機を所定の開放状態に保持するための保持具に関するものである。
【背景技術】
【０００２】
引き出し式食器洗浄機（以下、食器洗浄機とする）としては、例えば、図７ａ、図７ｂに示すように、システムキッチンに内蔵された食器洗浄機が知られている（特許文献１）。
【０００３】
図７ｂに示すように、食器洗浄機１０１は、キッチンカウンタＫの下に内蔵されている。食器洗浄機１０１は、前方が開口した箱状の洗浄機本体１０４と、洗浄機本体１０４内に収容される洗浄槽１０３と、洗浄槽１０３の前面に取り付けられた扉１０２とで主要部が構成されている。洗浄槽１０３は、食器等を出し入れできるように上方（図７ｂの上側）が開口している。扉１０２の表面の上部には操作パネル１０５が取り付けられており、扉１０２の表面の下部には化粧パネル１０６が取り付けられている。なお、図７ａは洗浄槽１０３を洗浄機本体１０４内に収納した状態を示す図である。また、図７ｂは洗浄槽１０３を引き出した状態の図である。
【先行技術文献】
【特許文献】
【０００４】
【特許文献１】特開２０１２−７５５２１号公報
【発明の概要】
【発明が解決しようとする課題】
【０００５】
特許文献１に開示されているような引き出し式食器洗浄機は、食器洗浄後、扉１０２を閉めた状態（つまり、洗浄槽１０３を洗浄機本体１０４内へ収納した状態）にしておくと、食器洗浄機１０１の洗浄槽１０３内部において湿気で臭いがこもり、洗浄槽１０３内部や食器が臭くなるという問題があった。
【０００６】
上記の問題を解消する方法としては、例えば、食器洗浄機１０１の扉１０２を食器洗浄後に開いた状態（つまり、図７ｂに示すような状態で、洗浄槽１０３を引き出されている状態）で洗浄槽１０３内部の湿気を逃がすことが考えられる。しかし、扉１０２を図７ｂに示されるような全開状態にすると、食器洗浄機１０１の洗浄槽１０３がキッチン内で大きく張り出して、キッチン周辺を移動する者の移動の妨げやキッチン内で作業する作業者の作業の邪魔になるうえ、扉１０２が張り出した部分により危険も伴う。また、特許文献１に開示されている引き出し式食器洗浄機１０１をはじめ、一般的な引き出し式食器洗浄機では、扉１０２がわずかに張り出した状態で扉１０２を保持しようとしても、洗浄槽１０３内部に収納された洗浄される食器の重量等により、洗浄槽１０３が前方にスライドして扉１０２が全開状態まで開放してしまい、邪魔にならない程度の扉１０２の開放状態を保持することが困難であった。
【０００７】
本発明は、上記の事情に鑑みてなされたものであり、食器洗浄後の食器洗浄機を、キッチン内で作業する作業者の作業等の邪魔にならない適度な位置で開放状態を保持し、洗浄槽内部において湿気で臭いがこもらないようにする保持具を提供することを目的とする。
【課題を解決するための手段】
【０００８】
上記の課題を解決するための本発明の保持具は、システムキッチンに組み込まれる、洗浄槽の前方に扉材を有する引き出し式食器洗浄機を、所定の開放状態で保持する保持具であって、該保持具が、前記食器洗浄機の扉材に着脱可能に取り付けられる第１取付部と、前記システムキッチンのうち、前記食器洗浄機の扉材周囲の部位に着脱可能に取り付けられる第２取付部と、前記第１取付部および前記第２取付部を連結し、前記食器洗浄機を前記所定の開放状態で保持する長さを有する連結部とを備えることを特徴とする。
【０００９】
前記連結部が伸縮可能な弾性部材からなるのが好ましい。
【００１０】
前記第１取付部と前記連結部との連結部位および前記第２取付部と前記連結部との連結部位のうち、少なくともいずれか一方が取り外し可能に構成されているのが好ましい。
【００１１】
あるいは、前記連結部は、螺旋状に形成されたばねであるのが好ましい。
【００１２】
前記取付部が吸盤であるのが好ましい。
【００１３】
あるいは、前記取付部が磁石を備えるのが好ましい。
【発明の効果】
【００１４】
本発明の保持具は、食器洗浄機を開放状態に保持できるため、食器洗浄機の洗浄槽内部において、食器洗浄後に湿気で臭いがこもり、洗浄槽内部や洗浄槽内部に入れた食器が臭くなるという事態が生じることがない。また、食器洗浄機を開放状態に保持できるため、食器洗浄機内部に手洗いした後の食器を入れて乾燥させることができる。また、食器洗浄機に乾燥機能がない場合には、食器洗浄後の食器洗浄機を開放状態に保持して食器洗浄機内の食器を乾燥させることもできる。さらに、食器洗浄機の開放状態を保持することにより、洗浄槽内部の湿気が除去され、洗浄槽のぬめりやカビの発生を防止することができる。
【００１５】
また、本発明の保持具は、食器洗浄を終えた後の食器洗浄機を、キッチン内に大きく張り出すことなく安全かつキッチン周辺で作業する者の作業等の邪魔にならないような所定の開放状態を保持することができる。
【００１６】
また、連結部を伸縮可能な弾性部材とすると、連結部の伸縮により、食器洗浄機の扉材に対する第１取付部の取り付け位置、食器洗浄機の扉材周囲の部位に対する第２取付部の取り付け位置を自在に変えやすくなる。
【００１７】
また、第１取付部と連結部との連結部位および第２取付部と連結部との連結部位のうち、少なくともいずれか一方を取り外し可能に構成すると、扉材を開ける必要がある場合（例えば、洗浄槽に食器を収容する場合）においても、食器洗浄機の扉材や食器洗浄機の扉材周囲の部位に取り付けた第１取付部あるいは第２取付部を取り付けたままにできる。つまり、連結部のみを第１取付部および／または第２取付部から取り外すだけでよく、第１取付部と第２取付部を食器洗浄機の扉材や食器洗浄機の扉材周囲の部位から頻繁に取り外す必要がない。そのため、第１取付部および第２取付部は、食器洗浄機の扉材や扉材周囲の部位に対する繰り返しの着脱が必要ないため、劣化しにくくなり、第１取付部および第２取付部の長寿命化が可能になる。
【００１８】
また、連結部を螺旋状に形成されたばねとすると、連結部が伸縮しやすくなり、食器洗浄機の扉材に対する第１取付部の取り付け位置、食器洗浄機の扉材周囲の部位に対する第２取付部の取り付け位置を自在に変えやすくなることに貢献する。
【００１９】
取付部を吸盤にすると、取付部を食器洗浄機の扉材あるいは食器洗浄機の扉材周囲の部位へ取り付けた後であっても、必要に応じて（例えば来客時など）、容易に取り外すことができる。
【００２０】
あるいは、取付部に磁石を設けると、食器洗浄機の扉材の前面あるいは食器洗浄機の扉材周囲の部位が、磁石を取り付けることができる部材で成形されている場合、磁力により取付部を容易に食器洗浄機の扉材や食器洗浄機の扉材周囲の部位に取り付けることができる。また、取付部を食器洗浄機の扉材や食器洗浄機の扉材周囲に対して頻繁に着脱しても劣化しにくく、取付部の長寿命化に貢献できる。その結果、保持具の長寿命化に貢献できる。
【図面の簡単な説明】
【００２１】
【図１】本発明の保持具を示す斜視図である。
【図２ａ】図１に示す取付部の拡大斜視図である。
【図２ｂ】図２ａに示す取付部のＡ方向矢視図である。
【図２ｃ】図２ａに示す取付部のＢ方向矢視図である。
【図２ｄ】図２ｂに示す取付部のＣ−Ｃ断面図である。
【図３】図１に示す連結部の平面図である。
【図４】連結部と取付部の連結状態を示す断面図である。
【図５】本発明の保持具の使用方法を説明する概略図である。
【図６】本発明の保持具の使用方法を説明する斜視図である。
【図７ａ】従来の引き出し式食器洗浄機（閉めた状態）を示す斜視図である。
【図７ｂ】従来の引き出し式食器洗浄機（開けた状態）を示す斜視図である。
【発明を実施するための形態】
【００２２】
以下、図１〜図６を参照して、本発明の実施形態について説明する。
【００２３】
図１に本発明の実施形態である保持具を示す。この保持具１は、引き出し式食器洗浄機を保持するのに用いられ、例えば、既に説明した図７ａや図７ｂに示す、システムキッチンに組み込まれる、洗浄槽の前方に扉材を有する引き出し式食器洗浄機を保持するのに用いられる。なお、以下の説明において、「全開状態」とは、食器洗浄機の前方の扉材を開放して、食器洗浄機の洗浄槽を最大に引き出した状態を意味する。また、「所定の開放状態」とは、扉材を開放して食器洗浄機の洗浄槽をキッチン内で作業をする作業者の作業等の邪魔にならない程度に引き出した状態（特に開放距離は限定されないが、たとえば、扉材が閉まった状態から１〜２５ｃｍ程度、好ましくは５〜１５ｃｍ程度開放した状態）を意味する。
【００２４】
保持具１は、食器洗浄機の扉材１１（図５参照）に着脱可能に取り付けられる第１取付部２ａと、システムキッチンのうち、食器洗浄機の扉材周囲の部位（図５参照）に着脱可能に取り付けられる第２取付部２ｂとを有する。また、保持具１は、第１取付部２ａおよび第２取付部２ｂを連結し、食器洗浄機を所定の開放状態で保持する長さを有する連結部３を備える。なお、食器洗浄機の扉材周囲の部位とは、キッチンカウンタの表面や、システムキッチンの扉、引き出し、幕板、側板、システムキッチン以外の壁など、食器洗浄機の扉材以外の任意の部位であってよい。
【００２５】
まず、２つの取付部２ａ、２ｂについて、図２ａ〜図２ｄを参照して説明する。なお、本実施形態において、第１取付部２ａと第２取付部２ｂは同じものを使用する。そのため、以下では、第１取付部２ａについてのみ説明し、第２取付部２ｂの説明は省略する。なお、第１取付部２ａおよび第２取付部２ｂは、本実施形態では同じものを用いているが、以下に説明する機能を有するものであれば、互いに異なる形状・構造となったものを用いてもよい。
【００２６】
図２ａに示す第１取付部２ａは吸盤である。第１取付部２ａは、一端側から他端側に向けて滑らかに拡径する一般的な形状を有する吸盤部２１と、吸盤部２１の一端側（短径側）から突き出た突出部２２とを有する。図２ａ、図２ｂ、図２ｄに示すように、突出部２２には、突出部２２の高さ方向と直交する方向に貫通する係止孔２２ａが形成されている。
【００２７】
第１取付部２ａの材料は、本発明の目的を達成できるのであれば特に限定されず、例えば、ゴムや弾性のある合成樹脂等を使用できる。本実施形態の場合、吸盤部２１が吸盤として機能し、取付け対象物（後述する食器洗浄機の扉材の前面、食器洗浄機の扉材周囲の部位）に容易に取り付けることができるのであれば、素材は特に限定されない。また、第１取付部２ａの形状も、第１取付部２ａを、取付け対象物に容易に取り付けることができるのであれば、特に限定されない。
【００２８】
図３に示すように、連結部３は、螺旋状に形成されたばねを使用している。連結部３は、図１に示すように、第１取付部２ａおよび第２取付部２ｂを連結し、食器洗浄機を所定の開放状態で保持する長さを有する。ここで、「所定の開放状態を保持する長さ」とは、第１取付部２ａを食器洗浄機の扉材に取り付け、第２取付部２ｂを食器洗浄機の扉材周囲の部位に取り付けた後、所定の開放状態まで食器洗浄機の扉材を上記した所定の開放状態で保持することが可能な長さを意味し、本実施形態では、ばねとして構成された連結部３が伸びた状態で、所定の開放状態で扉を保持する長さをいう。
【００２９】
図３に示すように、連結部３（第１連結端部３１ａ、第２連結端部３１ｂ）は、２つの連結端部３１ａ、３１ｂと、２つの連結端部３１ａ、３１ｂの間に配置された伸縮可能な弾性部材からなるばね材３２とを備える。第１連結端部３１ａには、第１取付部２ａに取り付けられる係合部として機能する略逆Ｌ字型係止爪３３ａと略Ｌ字型係止爪３３ｂが設けられている。また、第２連結端部３１ｂには、貫通隙間３５を有する耳状部３４が設けられている。
【００３０】
図４に示すように、第１連結端部３１ａの略逆Ｌ字型係止爪３３ａは、第１取付部２ａの係止孔２２ａへ一方側（図４の上側）から挿入して係合される。第１連結端部３１ａの略Ｌ字型係止爪３３ｂは、第１取付部２ａの係止孔２２ａへ他方側（図４の下側）から挿入して係合される。この構成により、連結部３と第１取付部２ａとの連結部位が取り外し可能となっている。本実施形態では、第２連結端部３１ｂの耳状部３４は、第２取付部２ｂの係止孔４２ａに係合させた状態で、第２取付部２ｂから分離できないように第２取付部２ｂに取り付けられている。
【００３１】
連結部３の形状は、第１取付部２ａおよび第２取付部２ｂを連結できるのであれば特に限定されず、ばね以外に紐状、帯状の弾性部材であっても構わない。また、連結部３の材料は、特に限定されないが、ばねとして構成する場合は、ゴムや弾性を有する合成樹脂等であることが好ましい。また、連結部３と第１取付部２ａおよび第２取付部２ｂを連結できるのであれば、２つの連結端部３１ａ、３１ｂは必ずしも必要ではない。また、第１取付部２ａおよび第２取付部２ｂのそれぞれの係止孔２２ａ、４２ａ（図４参照）は、第１連結端部３１ａあるいは第２連結端部３１ｂの形状によっては、必ずしも突出部２２、４２に貫通して形成する必要はなく、連結部３と第１取付部２ａおよび第２取付部２ｂとが連結できるものであればよい。
【００３２】
本実施形態では、上述したように、第１取付部２ａの係止孔２２ａと連結部３の２つの係止爪（略逆Ｌ字型係止爪３３ａ、略Ｌ字型係止爪３３ｂ）、あるいは第２取付部２ｂの係止孔４２ａと連結部３の耳状部３４により第１取付部２ａおよび第２取付部２ｂと連結部３を連結している。しかし、連結部３と第１取付部２ａおよび第２取付部２ｂとの連結に採用する構造や方法は、連結部３と第１取付部２ａおよび第２取付部２ｂとを連結することができるのであれば、本実施形態の方法に限定されず、他の公知の接合構造や、係合構造とすることができる。
【００３３】
次に、図５、図６を参照して、本発明の使用方法を、一例を挙げて説明する。なお、本発明は以下の使用方法に限定されない。また、以下の説明では、本実施形態の保持具１をシステムキッチンＳＫに内蔵され、洗浄槽ＷＴの前方に扉材１１を有する食器洗浄機ＤＷに取り付ける場合について説明している。
【００３４】
まず、第１取付部２ａおよび第２取付部２ｂのうちいずれか一方を、食器洗浄機ＤＷの扉材１１周囲の部位（図５、図６に示す例では、システムキッチンＳＫの食器洗浄機ＤＷに隣接する幕板Ｄ）に取り付け、他方を、食器洗浄機ＤＷの洗浄槽ＷＴの前方の扉材１１の前面１１ａに取り付ける（図５および図６では、第１取付部２ａが扉材１１の前面１１ａに、第２取付部２ｂが幕板Ｄに取り付けられている）。なお、第１取付部２ａまたは第２取付部２ｂは、食器洗浄機ＤＷの所定の開放状態まで引き出した後に、取り付けることもできる。なお、図５中、点線Ａは、扉材１１を完全に閉鎖した状態の扉材１１の位置を示しており、点線Ｂは、扉材１１を全開にした全開状態の扉材１１の位置を示している。
【００３５】
以上の方法により、食器洗浄機ＤＷを保持具１により、簡易な構成により所定の開放状態に保持できる。そのため、食器洗浄後の食器洗浄機ＤＷの洗浄槽ＷＴ内部には湿気で臭いがこもることがない。その結果、洗浄槽ＷＴ内部や洗浄槽ＷＴ内部に入れた食器が臭くなることがない。また、食器洗浄機ＤＷの扉材１１を保持具１により全開状態でなく、扉材１１の張り出し幅が小さい所定の開放状態で保持できるため、洗浄槽ＷＴがキッチン内で大きく張り出してキッチン内で作業する作業者の作業等の妨げになることがない。これに伴い、キッチン内で作業する作業者は安全に作業等を行うことができる。
【００３６】
また、連結部３が第１取付部２ａあるいは第２取付部２ｂから取り外し可能な場合は、食器洗浄機ＤＷにこれから洗浄する食器を入れる際や、食器洗浄後に扉材１１を開けて扉材１１を所定の開放位置に保持する際、第１取付部２ａまたは第２取付部２ｂが取り付けられた扉や引き出しなどを開ける際など、第１取付部２ａや第２取付部２ｂをわざわざ取り付けたり、取り外したりする必要がなく、連結部３のみを、第１取付部２ａ、第２取付部２ｂに対して取り付け／取り外して、扉や引き出しを開放することができる。また、連結部３を第１取付部２ａあるいは第２取付部２ｂから取り外し可能とすることにより、第１取付部２ａおよび第２取付部２ｂは、扉材１１や幕板Ｄなどに取り付けたままにすることができるので、取り付け、取り外しの繰り返しによって第１取付部２ａおよび第２取付部２ｂが傷むのを防止することができる。
【００３７】
また、連結部３の素材は、第１取付部２ａと第２取付部２ｂとを連結できるのであれば、素材は特に限定されない。しかしながら、連結部３の素材は、本実施形態のようにばねやゴム等の伸縮可能な弾性部材からなるのが好ましい。この場合、連結部３の伸縮により、食器洗浄機ＤＷの扉材１１に対する第１取付部２ａの取り付け位置、食器洗浄機ＤＷの扉材１１周囲の部位（食器洗浄機ＤＷに隣接する幕板Ｄ）に対する第２取付部２ｂの取り付け位置を自在に変えやすくなる。
【００３８】
また、連結部３の素材がばねやゴム等の伸縮可能な弾性部材からなる場合、食器洗浄機ＤＷの閉鎖状態で保持具１の第１取付部２ａが食器洗浄機ＤＷの扉材１１に取り付けられ、第２取付部２ｂが食器洗浄機ＤＷの扉材１１周囲の部位（食器洗浄機ＤＷに隣接する幕板Ｄ）に取り付けられているとき、そのまま食器洗浄機ＤＷの扉材１１を開放していくと、食器洗浄機ＤＷに収容された食器の重量等により、扉材１１は全開状態Ｂに向かって移動しようとするが、所定の開放状態まで移動した後、連結部３が弾性変形するとともに、扉材１１の開放方向の力を吸収しながら、扉材１１を停止させる。したがって、使用者が扉材１１を手前に開く操作をした際、扉材１１は、自然と所定の開放状態で保持される。一方、連結部３が弾性部材で構成されていない場合では、連結部３が伸びきったとき（連結部３がピンと張った状態のとき）に第１取付部２ａおよび第２取付部２ｂに食器が入った洗浄槽ＷＴの重量等により、第１取付部２ａおよび第２取付部２ｂが外れる方向に力が加わる。したがって、食器洗浄機ＤＷを所定の開放状態まで開いたときに、洗浄槽ＷＴの重量等により、第１取付部２ａおよび第２取付部２ｂが食器洗浄機ＤＷの扉材１１や食器洗浄機ＤＷの扉材１１周囲から外れてしまうおそれがある。しかし、本実施形態のように、連結部３が弾性部材により構成され、伸縮可能な場合は、連結部３が伸縮することにより、扉材１１の解放時に保持具１に加わる力を逃がし、第１取付部２ａあるいは第２取付部２ｂが食器洗浄機ＤＷの扉材１１や食器洗浄機ＤＷの扉材１１周囲の部位から外れることを防止できる。
【００３９】
また、連結部３を本実施形態のように螺旋状に形成されたばねとすると、連結部３が伸縮しやすくなり、連結部３を伸縮可能な弾性部材とした場合の上記の効果を確実に得ることができる。
【００４０】
また、本実施形態では、第１取付部２ａと連結部３との連結部位のみを取り外し可能にしている。しかし、第１取付部２ａと連結部３との連結部位および第２取付部２ｂと連結部３との連結部位の両方を取り外し可能にすることもできる。
【００４１】
また、本実施形態では、第１取付部２ａおよび第２取付部２ｂを吸盤にしている。そのため、第１取付部２ａおよび第２取付部２ｂを食器洗浄機ＤＷの扉材１１あるいは食器洗浄機ＤＷの扉材１１周囲の部位（食器洗浄機ＤＷに隣接する幕板Ｄなど）へ取り付けた後であっても、必要に応じて（例えば来客時など）、容易に取り外すことができる。また、第１取付部２ａおよび第２取付部２ｂを吸盤とせず、両面テープや接着剤で第１取付部２ａおよび第２取付部２ｂを食器洗浄機ＤＷの扉材１１や食器洗浄機の扉材１１周囲の部位に取り付ける場合よりも簡単に取り外しが可能であり、取り外した跡が食器洗浄機ＤＷの扉材１１や食器洗浄機ＤＷの扉材１１周囲の部位に残らない。また、第１取付部２ａおよび第２取付部２ｂの取り外しにより、食器洗浄機ＤＷの扉材１１や食器洗浄機ＤＷの扉材１１周囲の部位の部材を痛めることがない。さらに、食器洗浄機ＤＷの扉材１１や食器洗浄機ＤＷの扉材１１周囲の部位に対する第１取付部２ａあるいは第２取付部２ｂの取り付け位置を容易に変えることができる。
【００４２】
また、ここで挙げた実施形態では、第１取付部２ａと第２取付部２ｂを吸盤としている。しかし、この実施形態に限られることはなく、第１取付部２ａや第２取付部２ｂが取り付けられる取付け対象物（本実施形態では、システムキッチンＳＫの食器洗浄機ＤＷに隣接する幕板Ｄあるいは食器洗浄機ＤＷの扉材１１の前面１１ａ）が磁石の取り付けが可能な素材（例えば、銅や鉄など）で形成されている場合、第１取付部２ａや第２取付部２ｂに磁石を設けてもよい。この場合も、上述した効果と同様の効果を得ることができ、第１取付部２ａあるいは第２取付部２ｂと食器洗浄機ＤＷの扉材１１周囲の部位あるいは食器洗浄機ＤＷの扉材１１の前面１１ａに対する第１取付部２ａあるいは第２取付部２ｂの着脱が確実かつ容易である。
【００４３】
また、本発明にかかる「食器洗浄機」は、引き出し式のものであれば種類は限定されない。例えば、乾燥機能を備えている引き出し式食器洗浄機および乾燥機能を備えていない引き出し式食器洗浄機のいずれにも本発明を適用できる。
【００４４】
なお、保持具を構成する部材（第１取付部２ａ、第２取付部２ｂ、連結部３等）の色は特に限定されることはなく、適宜に変更が可能である。しかしながら、外観上、例えば、透明色にするのが好ましい。
【符号の説明】
【００４５】
１  保持具
２ａ  第１取付部
２ｂ  第２取付部
３  連結部
２１  吸盤部
２２、４２  突出部
２２ａ、４２ａ  係止孔
ＤＷ  食器洗浄機
ＷＴ  洗浄槽
ＳＫ  システムキッチン
３１ａ  第１連結端部
３１ｂ  第２連結端部
３２  ばね材
３３ａ  略逆Ｌ字型係止爪
３３ｂ  略Ｌ字型係止爪
３４  耳状部
３５  貫通隙間
Ｄ  食器洗浄機に隣接する幕板
１１  扉材
１１ａ  扉材の前面
【図１】
2014212952.tif 000003
【図２ａ】
2014212952.tif 000004
【図２ｂ】
2014212952.tif 000005
【図２ｃ】
2014212952.tif 000006
【図２ｄ】
2014212952.tif 000007
【図３】
2014212952.tif 000008
【図４】
2014212952.tif 000009
【図５】
2014212952.tif 000010
【図６】
2014212952.tif 000011
【図７ａ】
2014212952.tif 000012
【図７ｂ】
2014212952.tif 000013